(57)【要約】【課題】長尺物の切断性を向上可能にした収納容器、巻回体入り収納容器、および、収納容器に設けられる切断刃を提供する。【解決手段】蓋体３０における掩蓋片３２の下端に沿って設けられた切断刃４０を備え、切断刃４０は、巻回体の軸方向での中央部４０Ｃと、中央部４０Ｃを挟む端部４０Ｅとを備え、中央部４０Ｃは、閉蓋状態において下方に突き出るＶ字状、または、円弧状の線上に並ぶ複数の歯を備え、端部４０Ｅは、切断刃４０の軸方向での端に近い部位ほど下方に位置する傾きを有した線上に並ぶ複数の歯を備え、端部４０Ｅは、切断刃４０の歯先のなかで最も下方に位置する歯先を含む。【選択図】図２
2019073335.tif 000002
【特許請求の範囲】
【請求項１】
上面が開口した直方体状を有して長尺物の巻回体を収納するための容器本体と、
前記容器本体の後板における上辺に回動可能に連設されて前記容器本体の開口を開閉するための上板と、前記上板の前辺に連設されて前記上板が前記開口を閉じる閉蓋状態では前記容器本体の前板の上部を前記前板の前側から覆う掩蓋片とを備える蓋体と、
前記掩蓋片の下端に沿って設けられた切断刃と、を備え、
前記切断刃は、前記巻回体の軸方向での中央部と、前記中央部を挟む端部とを備え、
前記中央部は、前記閉蓋状態において下方に突き出るＶ字状、または、円弧状の線上に並ぶ複数の歯を備え、
前記端部は、前記切断刃の前記軸方向での端に近い部位ほど下方に位置する傾きを有した線上に並ぶ複数の歯を備え、
前記端部は、前記切断刃の歯先のなかで最も下方に位置する歯先を含む
収納容器。
【請求項２】
前記軸方向において、前記中央部の長さは、前記切断刃の長さの６０％以上である
請求項１に記載の収納容器。
【請求項３】
前記端部の歯は、第１端歯と、第１端歯よりも大きい第２端歯とを備え、
前記中央部の歯は、前記第２端歯よりも小さい第１中央歯と、前記第１中央歯よりも大きい第２中央歯とを備える
請求項１又は２に記載の収納容器。
【請求項４】
前記第１端歯は、前記第２端歯よりも前記中央部寄りに位置し、
前記第１中央歯は、前記第２中央歯よりも前記端部寄りに位置する
請求項３に記載の収納容器。
【請求項５】
前記第１端歯と前記第２端歯とは交互に位置し、
前記第１中央歯と前記第２中央歯とは交互に位置する
請求項３に記載の収納容器。
【請求項６】
前記端部の歯先のなかで最も下方に位置する歯先と前記上板との上下方向における距離と、前記中央部の歯先のなかで最も下方に位置する歯先と前記上板との上下方向における距離との差は、５ｍｍ以下である
請求項１から５のいずれか一項に記載の収納容器。
【請求項７】
前記端部の歯先のなかで最も下方に位置する歯先は、前記切断刃の歯先のなかで前記軸方向における最も端に位置する
請求項１から６のいずれか一項に記載の収納容器。
【請求項８】
長尺物が巻かれた巻回体と、
請求項１から７のいずれか一項に記載の収納容器と、を備える
巻回体入り収納容器。
【請求項９】
長尺物の巻回体を収納する収納容器の掩蓋片に設けられて前記収納容器から引き出される長尺物を切断するための切断刃であって、
前記収納容器は、
上面が開口した直方体状を有する容器本体と、
前記容器本体の後板における上辺に回動可能に連設されて前記容器本体の開口を開閉するための上板と、前記上板の前辺に連設されて前記上板が前記開口を閉じる閉蓋状態では前記容器本体の前板の上部を前記前板の前側から覆う前記掩蓋片とを備える蓋体と、を備え、
前記切断刃は、
前記掩蓋片の下端に沿って設けられるものであり、
前記巻回体の軸方向での中央部と、前記中央部を挟む端部とを備え、
前記中央部は、前記閉蓋状態において下方に突き出るＶ字状、または、円弧状の線上に並ぶ複数の歯を備え、
前記端部は、前記切断刃の前記軸方向での端に近い部位ほど下方に位置する傾きを有した線上に並ぶ複数の歯を備え、
前記端部は、前記切断刃の歯先のなかで最も下方に位置する歯先を含む
切断刃。
【発明の詳細な説明】
【技術分野】
【０００１】
本発明は、長尺物の巻回体を収納するための収納容器、巻回体入り収納容器、および、収納容器に設けられる切断刃に関する。
【背景技術】
【０００２】
上述した収納容器は、上面が開口した箱状の容器本体と、開口を開閉するための蓋体とを備える。容器本体は、底板から立設する周壁を備え、容器本体の開口は、周壁の上辺によって区画される。容器本体の周壁は、互いに向かい合う前板と後板とを含む。蓋体は、後板の上辺に回動可能に連設された上板と、上板に連設された掩蓋片とを備える。上板は、蓋体が閉じられている状態で、後板の上辺から前板に向けて延びる形状を有し、容器本体の開口を覆う。掩蓋片は、蓋体が閉じられている状態で、上板の前辺から底板に向けて延びる形状を有し、前板の上部を前板の前側から覆う。
【０００３】
収納容器は、切断刃を備える。切断刃は、蓋体が閉じられている状態で、掩蓋片の下端に設けられている。切断刃は、鋸刃状を有し、掩蓋片から下方に向けて突出する複数の歯先を備える。長尺物は、例えば、ラップフィルムの巻回体であり、ラップフィルムの幅方向を巻回体の軸方向として、容器本体に収納される。ラップフィルムは、容器本体の開口から引き出されて、切断刃によって切断される。この際、ラップフィルムの利用者は、掩蓋片と前板との間からラップフィルムを引き出し、掩蓋片と切断刃とを前板に向けて押し付け、切断刃をラップフィルムに刺し込み、それによって、ラップフィルムを切断し始める。
【０００４】
切断刃の形状は、例えば、Ｖ字状であり、蓋体が閉じられている状態で、幅方向での中央が最も下方に位置する。Ｖ字状の切断刃は、長尺物の幅方向における中央から長尺物を切断することに適している。一方、長尺物の利用者が行う切断の方法は様々であり、長尺物の幅方向における中央部から長尺物を切断し始めることもあれば、長尺物の幅方向における一方の端部から長尺物を切断し始めることもある。そこで、長尺物の幅方向における中央部から長尺物を切断し始める方式であれ、長尺物の幅方向における一方の端部から長尺物を切断し始める方式であれ、いずれにおいても、長尺物の切断を可能とするよう、Ｍ字状の切断刃が提案されている（例えば、特許文献１，２を参照）。
【先行技術文献】
【特許文献】
【０００５】
【特許文献１】特開２０１０−２４７８７３号公報
【特許文献２】特開２０１６−１６９０４４号公報
【発明の概要】
【発明が解決しようとする課題】
【０００６】
上述したＭ字状の切断刃は、軸方向での中央部と、中央部を挟む端部とを備える。切断刃の中央部は、切断刃の幅方向における中央を含み、蓋体が閉じられている状態で、下方に突き出るＶ字状を有する。切断刃の端部は、切断刃の幅方向における端に近い部位ほど下方に位置する線状を有する。
【０００７】
ここで、巻回体の軸方向と直交し、容器本体の底板から開口に向く方向が、高さ方向である。上記Ｍ字状の切断刃では、高さ方向において最も下方に位置する部位が、切断刃の中央部に含まれ、幅方向における端部は、この最も下方に位置する部位以上の高さに位置する。そのため、上記Ｍ字状の切断刃では、長尺物を端部から切断し始める方式での切断性を、Ｖ字状の切断刃と比べて向上することは可能ではあるが、長尺物を中央部から切断し始める方式では、長尺物を切断するための力のほとんどが、長尺物の中央部と切断刃の中央部との間のみに作用するようになる。結果として、長尺物を中央部から切断し始める方式では、切断刃の端部を長尺物の端部に刺し込み難く、中央部の切断が先行し端部の切断が遅れるため、長尺物の端部に切れ残りが生じてしまい、長尺物の切断が端部において円滑に進まないおそれがある。
本発明は、長尺物の切断性を向上可能にした収納容器、巻回体入り収納容器、および、収納容器に設けられる切断刃を提供することを目的とする。
【課題を解決するための手段】
【０００８】
上記課題を解決するための収納容器は、上面が開口した直方体状を有して長尺物の巻回体を収納するための容器本体と、前記容器本体の後板における上辺に回動可能に連設されて前記容器本体の開口を開閉するための上板と、前記上板の前辺に連設されて前記上板が前記開口を閉じる閉蓋状態では前記容器本体の前板の上部を前記前板の前側から覆う掩蓋片とを備える蓋体と、前記掩蓋片の下端に沿って設けられた切断刃と、を備え、前記切断刃は、前記巻回体の軸方向での中央部と、前記中央部を挟む端部とを備え、前記中央部は、前記閉蓋状態において下方に突き出るＶ字状、または、円弧状の線上に並ぶ複数の歯を備え、前記端部は、前記切断刃の前記軸方向での端に近い部位ほど下方に位置する傾きを有した線上に並ぶ複数の歯を備え、前記端部は、前記切断刃の歯先のなかで最も下方に位置する歯先を含む。
上記課題を解決するための巻回体入り収納容器は、長尺物が巻かれた巻回体と、上記収納容器とを備える。
【０００９】
上記課題を解決するための切断刃は、長尺物の巻回体を収納する収納容器の掩蓋片に設けられて前記収納容器から引き出される長尺物を切断するための切断刃であって、前記収納容器は、上面が開口した直方体状を有する容器本体と、前記容器本体の後板における上辺に回動可能に連設されて前記容器本体の開口を開閉するための上板と、前記上板の前辺に連設されて前記上板が前記開口を閉じる閉蓋状態では前記容器本体の前板の上部を前記前板の前側から覆う前記掩蓋片とを備える蓋体と、を備え、前記切断刃は、前記掩蓋片の下端に沿って設けられるものであり、前記巻回体の軸方向での中央部と、前記中央部を挟む端部とを備え、前記中央部は、前記閉蓋状態において下方に突き出るＶ字状、または、円弧状の線上に並ぶ複数の歯を備え、前記端部は、前記切断刃の前記軸方向での端に近い部位ほど下方に位置する傾きを有した線上に並ぶ複数の歯を備え、前記端部は、前記切断刃の歯先のなかで最も下方に位置する歯先を含む。
【００１０】
上記各構成によれば、切断刃の中央部が、下方に突き出るＶ字状、または、円弧状を有する。また、切断刃の端部が、切断刃の端に近い位置ほど下方に位置する傾きを有した線状を有する。そして、切断刃の端部における歯先が、切断刃の中央部における歯先よりも下方に位置する部位を含む。そのため、長尺物を中央部から切断し始めるとき、まず、切断刃の端部が長尺物の端部に刺し込まれ、また、切断刃の中央部が長尺物の中央部に刺し込まれる。これによって、切断刃の中央部と長尺物の中央部との間に、長尺物を切断するための力を作用させる際に、切断刃の端部を長尺物の端部に刺し込むことが可能となる。他方、長尺物を端部から切断し始めるときには、まず、切断刃の一方の端部が長尺物の一方の端部に刺し込まれ、次いで、切断刃の刺し込みが、長尺物の一方の端部から長尺物の中央部、さらに、長尺物の中央部から長尺物の他方の端部にまで進む。結果として、長尺物を中央部から切断し始める方式であれ、長尺物を端部から切断し始める方式であれ、いずれの方式でも、長尺物の切断を円滑に進めることが可能である。
上記収納容器は、前記軸方向において、前記中央部の長さは、前記切断刃の長さの６０％以上であってもよい。
【００１１】
この収納容器によれば、切断刃の中央部が６０％以上と長い分だけ、それに対応する長尺物の中央部も長い。ここで、長尺物を端部から切断し始める方式では、まず、長尺物の端部が、利用者の手によって把持される。こうした長尺物の端部は、利用者によって特定されやすい部位であり、利用者の間でばらつくことの少ない部位である。他方、長尺物を中央部から切断し始める方式では、まず、長尺物の中央部付近が、利用者の手によって把持される。この際、利用者が把持する長尺物の中央部の付近は、利用者の間で区々となりやすい。この点、上記収納容器であれば、切断刃の中央部の長さが、切断刃の長さの６０％以上である。そのため、長尺物を中央部から切断し始める方式において、利用者の把持する部位を、中央部内に含めることが容易である。それゆえに、利用者の把持する部位がばらつくことによる切断性のばらつきを抑えることが容易でもある。
【００１２】
上記収納容器において、前記端部の歯は、第１端歯と、第１端歯よりも大きい第２端歯とを備え、前記中央部の歯は、前記第２端歯よりも小さい第１中央歯と、前記第１中央歯よりも大きい第２中央歯とを備えてもよい。この際、前記第１端歯は、前記第２端歯よりも前記中央部寄りに位置し、前記第１中央歯は、前記第２中央歯よりも前記端部寄りに位置してもよい。また、第１端歯と前記第２端歯とが交互に位置し、前記第１中央歯と前記第２中央歯とが交互に位置してもよい。
【００１３】
この収納容器によれば、切断刃において、第２中央歯と第２端歯とが、第１中央歯よりも大きく、これらにおいては、長尺物に対する刺し込みが深い。そのため、長尺物を中央部から切断し始める方式と、長尺物を端部から切断し始める方式とに、さらに適した構成を提供することができる。
【００１４】
上記収納容器は、前記端部の歯先のなかで最も下方に位置する歯先と上板との上下方向における距離と、前記中央部の歯先のなかで最も下方に位置する歯先と上板との上下方向における距離との差は、５ｍｍ以下であってもよい。この収納容器によれば、長尺物を中央部から切断し始める方式での切断性と、長尺物を端部から切断し始める方式での切断性との差異を抑えることが可能ともなる。
【００１５】
上記収納容器において、前記端部の歯先のなかで最も下方に位置する歯先は、前記切断刃の歯先のなかで前記軸方向における最も端に位置してもよい。この収納容器によれば、切断刃の歯先のなかで最も下方に位置する歯先が、切断刃における軸方向の端に位置する。そのため、長尺物を端部から切断し始める方式においては、長尺物の切断をさらに円滑に進められる。また、長尺物を中央部から切断し始める方式においては、軸方向における最も端の歯が長尺物に刺し込まれるため、端部における切れ残りを、さらに確実に抑えることが可能ともなる。
【発明の効果】
【００１６】
本発明によれば、収納容器に収納された長尺物の切断性を向上することが可能である。
【図面の簡単な説明】
【００１７】
【図１】収納容器の一実施形態における構造を利用者の手と共に示す斜視図。
【図２】一実施形態の切断刃における構造の一例を示す正面図。
【図３】一実施形態の切断刃における構造の他の例を示す正面図。
【図４】各試験例の収納容器において長尺物の切断に要するカット力を示すグラフ。
【図５】各試験例の収納容器における切断性の官能評価を示すグラフ。
【発明を実施するための形態】
【００１８】
図１〜図５を参照して、収納容器、巻回体入り収納容器、および、切断刃の一実施形態について説明する。図１は、閉蓋状態の収納容器を、収納容器から引き出された長尺物、および、長尺物を引き出す利用者の手と共に示す図である。
【００１９】
図１が示すように、巻回体入り収納容器は、収納容器１０と、長尺物の一例であるラップフィルム５０の巻回体５０Ｒとを備える。収納容器１０は、容器本体２０と蓋体３０とを備える。収納容器１０は、蓋体３０が閉じている状態で、一方向に延びる直方体状を有する。
【００２０】
容器本体２０は、上面が開口した箱状を有し、前板２１、後板２２、底板２３、および、２つの側板２４を備える。前板２１、後板２２、および、側板２４は、底板２３から立設する周壁を構成する。周壁の上辺は、容器本体２０の開口２０Ｔを区画する。容器本体２０は、水平面に沿った一方向に延び、水平面と直交する上方向に向けて開口している。容器本体２０は、ラップフィルム５０の巻回体５０Ｒを収納する。巻回体５０Ｒは、例えば、円筒状を有する紙製の管を備え、ラップフィルム５０が管に巻き付けられている。巻回体５０Ｒの軸方向は、収納容器１０が延びる左右方向とほぼ平行である。
【００２１】
なお、図１では、底板２３が水平面と当接するように収納容器１０が配置された状態、これを基準として、底板２３に対する開口２０Ｔ側を上側、開口２０Ｔに対する底板２３側を下側として説明する。また、水平面と直交する方向であって、底板２３から開口２０Ｔに向けた方向を高さ方向として説明する。
【００２２】
前板２１、後板２２、および、底板２３は、左右方向に延びる矩形板状を有する。前板２１と後板２２とは、前後方向に向かい合う。底板２３は、前板２１と後板２２との間に位置し、底板２３の前辺は、前板２１の下辺であり、底板２３の後辺は、後板２２の下辺である。２つの側板２４は、互いにほぼ同形の矩形板状を有し、左右方向に向かい合う。２つの側板２４の下辺は、前板２１の下辺、後板２２の下辺、および、底板２３の左右辺に繋がる。
【００２３】
蓋体３０は、上板３１と、掩蓋片３２と、２つの側板３３とを備える。上板３１は、底板２３とほぼ同形の矩形板状を有し、後板２２の上辺に回動可能に連設されている。上板３１は、上板３１の後辺を軸として、容器本体２０に対して回転し、容器本体２０の開口２０Ｔを開閉する。蓋体３０が閉じられている状態で、上板３１は、開口２０Ｔを覆い、底板２３と上下方向で向かい合う。
【００２４】
２つの側板３３は、互いにほぼ同形の矩形板状を有する。２つの側板３３の上辺は、上板３１における左右辺である。２つの側板３３は、蓋体３０が閉じられている状態で、側板２４の側方から側板２４の上部を覆う。
【００２５】
掩蓋片３２は、蓋体３０が閉じられている状態で、上板３１の前辺から底板２３に向けて延びる板状を有し、前板２１の前側から前板２１の上部を覆う。掩蓋片３２における上下方向の幅は、蓋体３０が閉じられている状態で、左右方向の端部で最も大きく、次いで、左右方向の中央部で大きい。掩蓋片３２の下辺３２ａは、左右方向に延びる屈曲線である。掩蓋片３２の下辺３２ａは、蓋体３０が閉じられている状態で、下辺３２ａと上板３１との距離が、左右方向の端部で最も大きく、次いで、左右方向の中央部で大きい。掩蓋片３２の内面には、切断刃４０が設けられている。
【００２６】
切断刃４０は、屈曲線上に並ぶ歯先を有した鋸刃状の刃である。切断刃４０は、蓋体３０が閉じられている状態で、複数の歯先が下辺３２ａから下方に突出するように、下辺３２ａに沿って設けられている。切断刃４０を構成する材料は、特に限定されず、例えば、樹脂、あるいは、金属である。切断刃４０は、例えば、樹脂と添加剤とを含み、添加剤の種類やその添加量によって、切断刃４０の剛性や、掩蓋片３２に対する切断刃４０の接着性が調整される。切断刃４０を構成する樹脂は、例えば、ポリ乳酸などのポリエステル樹脂、ポリエチレン、ポリプロピレン、ポリスチレン、アセタール樹脂、ポリフェニレンサルファイド、ＰＥＥＫ（ポリエーテルエーテルケトン）樹脂、ＰＥＳ（ポリエーテルサルフォン）樹脂である。切断刃４０を構成する添加剤は、例えば、オレフィン系樹脂などの樹脂や、硫酸バリウム、炭酸カルシウム、酸化チタン、シリカ、タルクなどの無機材料である。
【００２７】
容器本体２０と蓋体３０とは、例えば、１枚の厚紙を折り曲げることによって形成される。容器本体２０を構成する各板、および、蓋体３０を構成する上板３１、掩蓋片３２、側板３３の各々は、複数の板部材が積層された積層体として構成することも可能であり、樹脂などの紙以外の材料で構成することも可能である。掩蓋片３２に切断刃４０を設ける方法は、例えば、掩蓋片３２と切断刃４０との間にシーラント材や接着層を介在させて、超音波接着によって行われる。なお、切断刃４０の歯先は、ラップフィルム５０の利用時に、掩蓋片３２から露出する構成であればよく、例えば、巻回体入り収納容器の保管時や運搬時には、他の板部材で覆われていてもよい。
【００２８】
ラップフィルム５０は、例えば、ポリ塩化ビニリデン、ポリ塩化ビニル、ポリエチレン、ポリメチルペンテンからなる群から選択されるいずれか１つを原材料とするフィルム、もしくは、これらを組み合わせた多層フィルムなどが挙げられ、これらに限定されるものではない。
【００２９】
収納容器１０に収納されたラップフィルム５０を利用するとき、利用者は、例えば、ラップフィルム５０の先端を右手で把持し、蓋体３０を閉じた収納容器１０を左手で握る。そして、掩蓋片３２と前板２１との間からラップフィルム５０を引き出し、掩蓋片３２の中央部を左手の親指で押さえながら、左右方向に沿う中心軸を中心として収納容器１０を回転させる。これによって、切断刃４０の歯先がラップフィルム５０に刺し込まれ、ラップフィルム５０が切断される。この際、左右方向におけるラップフィルム５０の中央部を右手で把持することによって（図１における一方の右手）、ラップフィルム５０を中央部から切断し始めることが可能となる。また、左右方向におけるラップフィルム５０の端部を右手で把持することによって（図１における他方の右手）、ラップフィルム５０を端部から切断し始めることが可能となる。
【００３０】
図２は、掩蓋片３２、および、掩蓋片３２に設けられた切断刃４０の一例を示す。図３は、掩蓋片３２、および、掩蓋片３２に設けられた切断刃４０の他の例を示す。なお、図２，３では、中央部と端部とを説明する便宜上、中央部と端部との境界を示す境界線ＢＬを二点鎖線で示し、また、掩蓋片３２の左右方向における中央を通る中心線ＣＬを二点鎖線で示す。
【００３１】
図２，３が示すように、掩蓋片３２は、左右方向での中央部３２Ｃと、中央部３２Ｃを左右方向で挟む端部３２Ｅを備える。中央部３２Ｃにおける下辺３２ａは、蓋体３０が閉じた状態である閉蓋状態において、下方に突き出るＶ字状の屈曲線である。右側の端部３２Ｅにおける下辺３２ａは、ほぼ直線状であり、閉蓋状態においては、右方向での端に近い部位ほど下方に位置する傾きを有する。左側の端部３２Ｅにおける下辺３２ａは、これもほぼ直線状であり、閉蓋状態においては、左方向での端に近い部位ほど下方に位置する傾きを有する。中央部３２Ｃにおける下辺３２ａと、端部３２Ｅにおける下辺３２ａとの交点は、境界線ＢＬを通る下辺３２ａの屈曲点である。
【００３２】
掩蓋片３２に設けられた切断刃４０は、左右方向での中央部４０Ｃと、中央部４０Ｃを左右方向で挟む端部４０Ｅを備える。中央部４０Ｃを構成する複数の歯ＣＢは、閉蓋状態において、下方に突き出るＶ字状の屈曲線上に並ぶ。中央部４０Ｃを構成する複数の歯ＣＢの歯先は、Ｖ字状の線上に位置する。右側の端部４０Ｅを構成する複数の歯ＥＢは、閉蓋状態において、右方向での端に近い部位ほど下方に位置する傾きを有したほぼ直線上に並ぶ。右側の端部４０Ｅを構成する複数の歯ＥＢの歯先は、その直線上に位置する。左側の端部４０Ｅを構成する複数の歯ＥＢは、閉蓋状態において、左方向での端に近い部位ほど下方に位置する傾きを有したほぼ直線上に並ぶ。左側の端部４０Ｅを構成する複数の歯ＥＢの歯先は、その直線上に位置する。
【００３３】
端部４０Ｅは、切断刃４０の歯先のなかで最も下方に位置する歯先を含む。切断刃４０の歯先のなかで最も下方に位置する歯先は、２箇所であり、右側の端部４０Ｅと、左側の端部４０Ｅとで別々に位置する。切断刃４０の歯先のなかで最も下方に位置する歯先は、切断刃４０の左右方向において最も端に位置する。
【００３４】
中央部４０Ｃの歯先のなかで最も下方に位置する歯先と、上板３１との高さ方向における距離は、中央刺し込み距離ＨＣである。端部４０Ｅの歯先のなかで最も下方に位置する歯先と、上板３１との高さ方向における距離は、端部刺し込み距離ＨＥである。端部刺し込み距離ＨＥは、中央刺し込み距離ＨＣよりも大きい。
【００３５】
中央刺し込み距離ＨＣは、図２，３に示す各構成において、例えば、３０ｍｍである。端部刺し込み距離ＨＥと、中央刺し込み距離ＨＣとの差は、例えば、図２の構成において２ｍｍであり、図３の構成において５ｍｍである。
【００３６】
端部刺し込み距離ＨＥが中央刺し込み距離ＨＣよりも大きいため、ラップフィルム５０を中央部から切断するときは、切断刃４０の端部４０Ｅがラップフィルム５０の端部に刺し込まれ、次いで、切断刃４０の中央部４０Ｃがラップフィルム５０の中央部に刺し込まれる。これによって、端部４０Ｅをラップフィルム５０の端部に刺し込みながら、中央部４０Ｃとラップフィルム５０の中央部との間に切断するための力を作用させる、という状態を形成できる。したがって、ラップフィルム５０を中央部から切断し始めるときに、ラップフィルム５０の両方の端部で切れ残りが生じることを抑えられる。
【００３７】
また、ラップフィルム５０を端部から切断するときは、切断刃４０の一方の端部４０Ｅがラップフィルム５０の一方の端部に刺し込まれ、次いで、切断刃４０の刺し込みが、ラップフィルム５０の中央部、さらには、ラップフィルム５０の他方の端部に進む。結果として、ラップフィルム５０を中央部から切断し始める方式であれ、端部から切断し始める方式であれ、ラップフィルム５０の切断を円滑に進めることができる。
【００３８】
側板２４と境界線ＢＬとの左右方向での距離、すなわち、端部３２Ｅの左右方向での距離は、端部幅ＷＥである。また、境界線ＢＬと中心線ＣＬとの左右方向での距離、すなわち、中央部３２Ｃの左右方向での距離の半分は、中央幅ＷＣである。
【００３９】
端部幅ＷＥは、例えば、４０ｍｍであり、中央幅ＷＣは、例えば、１１０ｍｍである。中央部４０Ｃの左右方向での長さは、中央幅ＷＣの２倍、例えば、２２０ｍｍである。切断刃４０の左右方向での長さは、中央幅ＷＣの２倍と、端部幅ＷＥの２倍との総和、例えば、３００ｍｍである。中央部４０Ｃの左右方向での長さは、例えば、切断刃４０の左右方向での全長の６０％以上である。
【００４０】
切断刃４０の中央部４０Ｃが６０％以上と長い分だけ、それに対応するラップフィルム５０の中央部も長くなる。ここで、ラップフィルム５０を端部から切断し始める方式では、ラップフィルム５０の端部を利用者は把持するが、こうしたラップフィルム５０の端部は、利用者によって容易に特定される部位、すなわち、利用者の間でばらつきの少ない部位である。これに対して、ラップフィルム５０を中央部から切断し始める方式では、ラップフィルム５０の中央部付近を利用者は把持するが、こうしたラップフィルム５０の中央部付近は、利用者の間で区々となりやすい。この点、中央部４０Ｃが６０％以上と長い構成であれば、利用者の把持する部位のばらつきを、中央部４０Ｃの範囲に含めることが可能であり、ラップフィルム５０を中央部から切断し始めることが容易となる。
【００４１】
また、ラップフィルム５０を中央部から切断する方式においては、容器を持つ手とは反対の手でラップフィルム５０の中央を持ち、中央部に位置するラップフィルム５０がぴんと張るように、ラップフィルム５０を引っ張りながら切断する。そのため、切断刃４０の端部４０Ｅにおいては、ラップフィルム５０はややたるんだ状態となりやすく、ラップフィルム５０は中央部からの切断が先行して進行しやすい。そのような状況で、端部４０Ｅの左右方向での長さが切断刃４０の左右方向での長さの４０％以上あると、ラップフィルム５０の両端部が切れ残り、切断の際に大きな抵抗が生じ、切断性を悪化させる要因となる。そのため、中央部からの切断性を悪化させないためにも、端部４０Ｅの左右方向での長さは切断刃４０の左右方向での長さの４０％以下に抑えることが好ましい。
【００４２】
中央部４０Ｃを構成する複数の歯ＣＢは、第１中央歯ＣＢ１（中歯）と第２中央歯ＣＢ２（大歯）とを備える。第１中央歯ＣＢ１の高さ方向での歯の高さは、第２中央歯ＣＢ２の高さよりも小さく、第１中央歯ＣＢ１の歯元の長さは、第２中央歯ＣＢ２の歯元の長さよりも小さい。ここで、歯の高さとは、歯の頂点（歯先）から、歯の両脇に存在する歯元を結ぶ歯元線に対して垂線をおろしたときに、垂線と歯元線との交点と歯の頂点との距離をいう。また、歯元の長さとは、歯の両脇に存在する一方の歯谷から他方の歯谷までを結んだ距離をいう。すなわち、第１中央歯ＣＢ１の大きさは、第２中央歯ＣＢ２の大きさよりも小さい。
【００４３】
端部４０Ｅを構成する複数の歯ＥＢは、第１端歯ＥＢ１（中歯）と第２端歯ＥＢ２（大歯）とを備える。第１端歯ＥＢ１の高さ方向での歯の高さは、第２端歯ＥＢ２の高さよりも小さい。第１端歯ＥＢ１の歯元の長さは、第２中央歯ＣＢ２の歯元の長さよりも小さい。すなわち、第１端歯ＥＢ１の大きさは、第２端歯ＥＢ２の大きさよりも小さい。
【００４４】
第１中央歯ＣＢ１の大きさと、第１端歯ＥＢ１の大きさとは、互いにほぼ等しい。また、第２中央歯ＣＢ２の大きさと、第２端歯ＥＢ２の大きさとは、互いにほぼ等しい。第１端歯ＥＢ１は、第２端歯ＥＢ２よりも中央部４０Ｃ寄りに位置し、第１中央歯ＣＢ１は、第２中央歯ＣＢ２よりも端部４０Ｅ寄りに位置する。
【００４５】
また、中央部４０Ｃでは、第１中央歯ＣＢ１（中歯）と第２中央歯ＣＢ２（大歯）が交互に位置してもよく、端部４０Ｅでは、第１端歯ＥＢ１（中歯）と第２端歯ＥＢ２（大歯）が交互に位置してもよい。このように構成すると、最初にラップフィルム５０に接する歯は、中央部４０Ｃであれば大歯である第２中央歯ＣＢ２であり、端部４０Ｅであれば大歯である第２端歯ＥＢ２であるため、突き刺しに要する力を小さくすることができる。
【００４６】
また、切断刃４０において、左右方向での中央部分と、左右方向での端部分とは、互いにほぼ等しい大きさの大歯を備える。そして、中央部４０Ｃにおける歯先のなかで最も下方に位置する歯と、端部４０Ｅにおける歯先のなかで最も下方に位置する歯とが、大歯である。これら大歯刃と中歯とを備える切断刃４０であれば、第２中央歯ＣＢ２と第２端歯ＥＢ２とにおいて、ラップフィルム５０に対する刺し込みが深いため、ラップフィルム５０を中央部から切断し始める方式と、長尺物を端部から切断し始める方式との両方に、さらに適している。
【００４７】
なお、端部４０Ｅに第１端歯ＥＢ１（中歯）と第２端歯ＥＢ２（大歯）とを交互に配する場合は、最も端に位置する歯が第１端歯ＥＢ１（中歯）と第２端歯（大歯）ＥＢ２とのどちらの歯になってもよい。第１端歯ＥＢ１（中歯）が最も端に位置した場合は、当該第１端歯ＥＢ１の隣の第２端歯ＥＢ２（大歯）が最も下方に位置する場合もあるが、カット性を向上させる効果は、第１端歯ＥＢ１が大歯である構成と比べてほぼ同じ程度である。
【００４８】
また、中央部４０Ｃ及び端部４０Ｅは、第１中央歯ＣＢ１（中歯）、第２中央歯ＣＢ２（大歯）、第１端歯ＥＢ１（中歯）、及び第２端歯ＥＢ２（大歯）よりも小さい小歯を少なくとも１つ備えてもよい。
【００４９】
中央部４０Ｃの小歯は、左右方向において、中央部４０Ｃと端部４０Ｅとの境界線ＢＬから中央部のＶ字の頂点部よりやや端部よりの部位までの範囲（中間部）に設けるのが好ましい。このとき、中間部のなかに複数の小歯を設ける場合は、相互に同じ大きさを有してもよい。中間部に複数の小歯を設けることで、中央部または端部から切断されたラップフィルム５０を伝播により切断することができ、スムーズな切断が可能になる。
【００５０】
また、端部４０Ｅの小歯は、左右方向において、中央部４０Ｃと端部４０Ｅとの境界線ＢＬから側板２４に近づく部分であって、端部４０Ｅの第１端歯ＥＢ１（中歯）または第２端歯ＥＢ２（大歯）までの間に設けるのが好ましい。端部４０Ｅに小歯を設けることで、端部から切断されたラップフィルム５０を伝播による切断にスムーズに移行することができ、ラップフィルム５０の切断が容易になる。
【００５１】
［試験例］
収納容器、巻回体入り収納容器、および、切断刃について、試験例を用いて説明する。
ポリ乳酸を主成分とする切断刃４０を以下の寸法で打ち抜いて、約２５０μｍの厚さを有した試験例１〜６の切断刃４０を得た。試験例１〜６の切断刃４０では、端部刺し込み距離ＨＥが互いに異なる一方で、中央刺し込み距離ＨＣ、中央幅ＷＣ、および、端部幅ＷＥは互いに等しい。試験例１〜６の切断刃４０に共通する寸法を以下に示し、次いで、試験例１〜６の各々の端部刺し込み距離ＨＥを以下に示す。
・中央刺し込み距離ＨＣ  ：３０ｍｍ
・中央幅ＷＣ            ：１１０ｍｍ（中央部４０Ｃが切断刃４０の７３％）
・端部幅ＷＥ            ：４０ｍｍ
・試験例１の端部刺し込み距離ＨＥ  ：２０ｍｍ
・試験例２の端部刺し込み距離ＨＥ  ：２５ｍｍ
・試験例３の端部刺し込み距離ＨＥ  ：２８ｍｍ
・試験例４の端部刺し込み距離ＨＥ  ：３０ｍｍ
・試験例５の端部刺し込み距離ＨＥ  ：３２ｍｍ
・試験例６の端部刺し込み距離ＨＥ  ：３５ｍｍ
なお、このとき、切断刃４０の中央部のＶ字角度は、１７２．５°であった。
【００５２】
次に、コートボール紙から形成された容器本体２０、および、蓋体３０を準備し、試験例１〜６の切断刃を超音波接着によって各別の蓋体３０に設けて、試験例１〜６の収納容器を得た。また、巻回体５０Ｒの一例として、ポリ塩化ビニリデンからなるラップフィルム５０の巻回体５０Ｒを用い、試験例１〜６の収納容器１０に各別に巻回体５０Ｒを収納して、試験例１〜６の巻回体入り収納容器を得た。
【００５３】
そして、試験例１〜６の巻回体入り収納容器からラップフィルム５０を引き出し、中央部からラップフィルム５０を切断し始める方式で、切断に要する力であるカット力を測定した。なお、カット力の測定は、まず、収納容器１０から引き出されたラップフィルム５０における幅方向の中央部を、ステージなどに固定されたフォースゲージにチャックさせる。次いで、軸方向（左右方向）に沿う中心軸を回転軸として、収納容器１０を９０度回転させて、この間に得られるフォースゲージの測定値のなかの最大値をカット力として測定した。カット力の測定条件は、以下の通りである。
・カット速度                        ：  ０．５秒で９０度回転
・収納容器１０からチャックまでの距離：  ２００ｍｍ
・フォースゲージ                    ：  イマダ  ＺＰ−５０Ｎ
試験例１〜６の各々の測定結果を表１、および、図４に示す。
【００５４】
また、試験例１〜６の巻回体入り収納容器１０を用い、幅方向の中央部からラップフィルム５０を切断し始める方式（中央官能評価）と、幅方向の端部からラップフィルム５０を切断し始める方式（端官能評価）との各々について、１０人のモニターによる感触を評価する官能評価を行った。この際、「切りやすい」という回答に５点、「やや切りやすい」という回答に４点、「どちらともいえない」という回答に３点、「やや切りにくい」という回答に２点、「切りにくい」という回答に１点を設定した。試験例１〜６の各々について、１０人のモニターから得た点数の平均値（官能平均点）を表１、および、図５に示す。
【００５５】
【表１】
2019073335.tif 000003
【００５６】
［カット力］
表１、および、図４が示すように、端部刺し込み距離ＨＥが２０ｍｍである水準（試験例１）によれば、最も小さいカット力（３．９８６Ｎ）でラップフィルム５０を切断できることが認められた。これに対して、試験例１よりも端部刺し込み距離ＨＥが５ｍｍだけ大きい水準（試験例２）では、最も大きいカット力（６．９３８Ｎ）を要することが認められた。そして、２５ｍｍの端部刺し込み距離ＨＥをピークとして、端部刺し込み距離ＨＥが２５ｍｍから増すほど、カット力が徐々に減ることが認められた。さらには、端部刺し込み距離ＨＥが中央刺し込み距離ＨＣよりも大きい試験例５，６において、中央部４０Ｃが端部４０Ｅよりも上方に位置するにも係わらず、カット力が小さいことが認められた。すなわち、中央部４０Ｃが最も下方に位置する構成（試験例２，３，４）よりも、端部４０Ｅが最も下方に位置する構成（試験例５，６）で、中央部からラップフィルム５０を切断し始めることに適した構成が得られることが認められた。
【００５７】
［官能評価］
表１、および、図５が示すように、端部刺し込み距離ＨＥが２０ｍｍである水準（試験例１）は、中央部からラップフィルム５０を切断し始めることに対して、最も高い評価点（４．５）を得られる一方、端部からラップフィルム５０を切断し始めることに対しては、最も低い評価点（３．３）しか得られていないことが認められた。
【００５８】
これに対して、試験例１よりも端部刺し込み距離ＨＥが５ｍｍだけ大きい水準（試験例２）は、端部からラップフィルム５０を切断し始めることに対して、高い評価点（３．９）が得られる一方、中央部からラップフィルム５０を切断し始めることに対しては、最も低い評価点（２．２）しか得られないことが認められた。
【００５９】
そして、２５ｍｍの端部刺し込み距離ＨＥを徐々に大きくするほど、端部からラップフィルム５０を切断し始めることに対しても、また、中央部からラップフィルム５０を切断し始めることに対しても、切断性を高められることが認められた。すなわち、中央部４０Ｃが最も下方に位置する構成（試験例２，３，４）よりも、端部４０Ｅが最も下方に位置する構成（試験例５，６）で、中央部と端部との両方からラップフィルム５０を切断し始めることに適した構成を得られることが認められた。そのうえ、端部４０Ｅが最も下方に位置する構成（試験例５，６）であれば、中央部からラップフィルム５０を切断し始めることよりも、端部からラップフィルム５０を切断し始めることに適した構成を得られることも認められた。すなわち、試験例５，６の構成であれば、中央部からラップフィルム５０を切断し始めた際には、両方の端部でも切断を始められる。そのため、ラップフィルム５０の両方の端部に切れ残りが生じ、それに伴い、ラップフィルム５０が切断刃４０に引っ掛かるという不都合が抑えられることが認められた。なお、端部からラップフィルム５０を切断し始めた際には、端部４０Ｅがラップフィルム５０に深く刺し込まれるため、ラップフィルム５０の切断性をさらに高めることも可能となる。
【００６０】
以上、上記実施形態によれば、以下に示す効果を得ることができる。
（１）ラップフィルム５０を中央部から切断し始めるとき、まず、切断刃４０の端部４０Ｅがラップフィルム５０の端部に刺し込まれ、次いで、切断刃４０の中央部４０Ｃがラップフィルム５０の中央部に刺し込まれる。これによって、端部４０Ｅをラップフィルム５０の端部に刺し込みながら、中央部４０Ｃとラップフィルム５０の中央部との間に、切断するための力を作用させるという状態を形成できる。したがって、ラップフィルム５０を中央部から切断し始めるときに、ラップフィルム５０の両方の端部で切れ残りが生じることを抑えられる。
【００６１】
（２）ラップフィルム５０を端部から切断し始めるとき、まず、切断刃４０の一方の端部４０Ｅがラップフィルム５０の一方の端部に刺し込まれ、次いで、切断刃４０の刺し込みが、ラップフィルム５０の中央部、さらには、ラップフィルム５０の他方の端部に進む。結果として、ラップフィルム５０を中央部から切断し始める方式であれ、ラップフィルム５０を端部から切断し始める方式であれ、ラップフィルム５０の切断を円滑に進められる。
【００６２】
そして、巻回体入り収納容器に収納される巻回体５０Ｒの種類が仮に変わる場合であっても、ラップフィルム５０の性状に適した切断の方式を提供することが可能ともなる。それゆえに、ラップフィルム５０の材質に係わらず、各フィルムに共通する切断刃４０や収納容器１０を用いることが可能となる。
【００６３】
（３）切断刃４０の中央部４０Ｃの長さが、切断刃４０の長さの６０％以上である。そのため、利用者の把持する部位がラップフィルム５０でばらつくとしても、ラップフィルム５０の切断を中央部から円滑に進めることが可能である。また、カット抵抗が大きくなりすぎることを防ぎ、ラップフィルム５０の円滑な切断が可能となる。
【００６４】
（４）端部４０Ｅの歯先のなかで最も下方に位置する歯先と上板３１との上下方向における距離と、中央部４０Ｃの歯先のなかで最も下方に位置する歯先と上板３１との上下方向における距離との差が、５ｍｍ以下である。そのため、ラップフィルム５０を中央部から切断し始める際の切断性と、ラップフィルム５０を端部から切断し始める際の切断性との差異を抑えることが可能ともなる。
【００６５】
（５）端部４０Ｅの歯先のなかで最も下方に位置する歯先は、切断刃４０の歯先のなかで左右方向における最も端に位置する。そのため、ラップフィルム５０を端部から切断し始める方式において、ラップフィルム５０の切断をさらに円滑に進められる。
【００６６】
なお、上記実施形態は、以下のように変更して実施することもできる。
［中央部３２Ｃ，４０Ｃの形状］
・中央部３２Ｃにおける下辺３２ａの形状は、下方に突き出る円弧状（曲線状）に変更することも可能である。また、端部３２Ｅにおける下辺３２ａの形状は、左右方向の端に近い部位ほど下方に位置する曲線状に変更することも可能である。さらに、端部３２Ｅにおける下辺３２ａの形状が円弧状（曲線状）の場合は、上方に突き出る形状であっても、下方に突き出る形状であってもよい。
【００６７】
・中央部４０Ｃを構成する複数の歯ＣＢの歯先は、下方に突き出る円弧（曲線）上に位置することも可能である。また、端部３２Ｅを構成する複数の歯ＥＢの歯先は、左右方向での端に近い部位ほど下方に位置する曲線上に位置することも可能である。さらに、端部３２Ｅを構成する複数の歯ＥＢの歯先が円弧上（曲線上）に位置する場合は、その曲線が上方に突き出る曲線でも、下方に突き出る曲線であってもよい。
【００６８】
・中央部３２Ｃの左右方向における両端部は、左右方向に延びる直線状や、上方または下方に突き出る曲線状に変更することも可能である。また、この中央部３２Ｃの形状に合わせて、中央部４０Ｃの左右方向における両方の端部も、左右方向に延びる直線状や、上方または下方に突き出る曲線状に変更することも可能である。
【００６９】
この際、端部３２Ｅにおける中央部３２Ｃ寄りの形状は、左右方向に延びる直線状や、中央部３２Ｃに繋がる曲線状に変更することも可能である。また、端部４０Ｅにおける中央部４０Ｃ寄りの形状もまた、左右方向に延びる直線状や、中央部４０Ｃに繋がる曲線状に変更することが可能である。すなわち、切断刃４０の歯先のなかで最も下方に位置する歯先を端部４０Ｅが含む構成であれば、中央部３２Ｃと端部３２Ｅとの境界は、屈曲した形状に限らず、直線状や他の形状に変更することも可能である。
【００７０】
［歯先の位置］
・切断刃４０の歯先のなかで最も下方に位置する歯先は、１つに変更可能である。切断刃４０の歯先のなかで最も下方に位置する歯先は、右側の端部４０Ｅに位置することも可能であり、左側の端部４０Ｅに位置することも可能である。
・切断刃４０の歯先のなかで最も下方に位置する歯先は、切断刃４０の左右方向において最も端よりも中央部４０Ｃ側に位置することも可能である。
【００７１】
・中央部４０Ｃにおける歯先の一部は、屈曲線上から外れた位置に配置されることも可能である。また、端部４０Ｅにおける歯先の一部は、直線上から外れた位置に配置されることも可能である。要は、端部４０Ｅが、切断刃４０の歯先のなかで最も下方に位置する歯先を含む構成であればよい。
【００７２】
［歯のサイズ］
・第１中央歯ＣＢ１の大きさは、第１端歯ＥＢ１の大きさよりも大きくすることも可能であり、また、第１端歯ＥＢ１の大きさよりも小さくすることも可能である。また、第１中央歯ＣＢ１は互いに異なる複数の大きさ（中歯と小歯）を有し、第１端歯ＥＢ１は互いに異なる複数の大きさ（中歯と小歯）を有することも可能である。この際、第１中央歯ＣＢ１の一部の大きさと、第１端歯ＥＢ１の一部の大きさとを等しくすることも可能であり、全ての第１端歯ＥＢ１の大きさと異ならせることも可能である。また、第１端歯ＥＢ１の一部の大きさと、第１中央歯ＣＢ１の一部の大きさと等しくすることも可能であり、全ての第１中央歯ＣＢ１の大きさと異ならせることも可能である。
【００７３】
・第２中央歯ＣＢ２の大きさは、第２端歯ＥＢ２の大きさよりも大きくすることも可能であり、また、第２端歯ＥＢ２の大きさよりも小さくすることも可能である。また、第２中央歯ＣＢ２は互いに異なる複数の大きさ（大歯と中歯）を有し、第２端歯ＥＢ２は互いに異なる複数の大きさ（大歯と中歯）を有することも可能である。この際、第２中央歯ＣＢ２の一部の大きさと、第２端歯ＥＢ２の一部の大きさとを等しくすることも可能であり、全ての第２端歯ＥＢ２の大きさと異ならせることも可能である。また、第２端歯ＥＢ２の一部の大きさと、第２中央歯ＣＢ２の一部の大きさと等しくすることも可能であり、全ての第２中央歯ＣＢ２の大きさと異ならせることも可能である。
・切断刃４０を構成する各歯の大きさは、歯の高さ、および、左右方向における歯の幅（歯元の長さ）の両方を大きくすることも可能である。
・切断刃４０を構成する各歯の大きさは、全て同一とすることも可能である。
［その他］
・容器本体２０と蓋体３０とは、別体として構成することも可能である。
・長尺物は、アルミニウム箔やクッキングシートに変更することも可能である。
【符号の説明】
【００７４】
ＣＢ，ＥＢ…歯、ＣＢ１…第１中央歯、ＣＢ２…第２中央歯、ＥＢ１…第１端歯、ＥＢ２…第２端歯、１０…収納容器、２０…容器本体、２０Ｔ…開口、２１…前板、２２…後板、３０…蓋体、３１…上板、３２…掩蓋片、３２Ｃ…中央部、３２Ｅ…端部、４０…切断刃、４０Ｃ…中央部、４０Ｅ…端部、５０…ラップフィルム、５０Ｒ…巻回体。
【図１】
2019073335.tif 000004
【図２】
2019073335.tif 000005
【図３】
2019073335.tif 000006
【図４】
2019073335.tif 000007
【図５】
2019073335.tif 000008